(57)【要約】      （修正有）【課題】イヤホンや補聴器等の耳装着用音声出力具を耳に近い位置に保持することができ、耳装着用音声出力具の脱着も素早く行える髪止め用装身具を提供する。【解決手段】本体部がヘアクリップ１１、１２、簪、櫛止め、カチューシャまたはヘアゴムから構成される髪止め用装身具において、本体部に少なくとも１個の耳装着用音声出力具を着脱可能に保持する保持部Ｈと、身体に着脱可能に止着する止着部Ｓとが設けられている。【選択図】図１
0003229536.tif 000002
【実用新案登録請求の範囲】
【請求項１】
少なくとも１個の耳装着用音声出力具を着脱可能に保持する保持部と、身体に着脱可能止着する止着部とを備えている髪止め用装身具。
【請求項２】
前記耳装着用音声出力具は、イヤホン又は補聴器である請求項１に記載の髪止め用装身具。
【請求項３】
前記保持部は、前記耳装着用音声出力具を保持する弾性部材又は磁石部材を備えている請求項１又は２に記載の髪止め用装身具。
【請求項４】
前記耳装着用音声出力具に取り付けられて落下を防止する紐部材を備えている請求項１から３のいずれかに記載の髪止め用装身具。
【請求項５】
一対の前記耳装着用音声出力具をそれぞれ保持する一対の前記保持部が分離可能に設けられている請求項１から４のいずれかに記載の髪止め用装身具。
【請求項６】
一対の前記保持部を連結する連結部材を備えている請求項５に記載の髪止め用装身具。
【考案の詳細な説明】
【技術分野】
【０００１】
本考案は、イヤホンや補聴器等の耳装着用音声出力具を脱着自在に装着できる髪止め用装身具に関するものである。
【背景技術】
【０００２】
周知のとおり、イヤホンや補聴器等は、外出時に専用ケースに入れて持ち運ぶことが多いが、専用ケースをバッグ等に入れて持ち運ぶ場合、使用時にバッグから専用ケースを取り出し、更に専用ケースからイヤホン等を取り出して装着する必要があるため、素早くイヤホン等の装着を行うことが難しかった。また耳から外したイヤホン等をバッグ等に収納する際にも手間がかかった。
【０００３】
一方、従来においては、衣服等に装着できるクリップ付きのイヤホンも公知となっているが(特許文献１〜３参照)、特許文献１に係る技術は、イヤホンケーブルの巻取り具にクリップを設けているため、ワイヤレスイヤホンには応用できない。また特許文献２〜３に係る技術は、マイクを備えた本体部にクリップを設けているため、特許文献４に示すような小型イヤホンには応用できない。
【０００４】
他方、従来においては、ペンなどの筆記具を装着できるクリップ付きホルダも公知となっているが(例えば、特許文献５参照)、イヤホン等の耳装着用音声出力具を装着できるものは知られていない。また従来のクリップ付きホルダは、衣服のポケット等に装着することを前提としているが、耳に近い頭髪に装着できるものは知られていない。
【先行技術文献】
【特許文献】
【０００５】
【特許文献１】実用新案登録第３１８６６３９号公報
【特許文献２】実用新案登録第３１６３１８９号公報
【特許文献３】特開２００７−１５１１２７号公報
【特許文献４】特開２０１８−４２２４１号公報
【特許文献５】特開平１１−１８８９９１号公報
【考案の概要】
【考案が解決しようとする課題】
【０００６】
本考案は、上記従来技術の問題を解決することを課題としており、要約するとイヤホンや補聴器等の耳装着用音声出力具を耳に近い位置に保持することができ、耳装着用音声出力具の脱着も素早く行える髪止め用装身具を提供することにある。
【課題を解決するための手段】
【０００７】
本考案者は、上記課題を解決する手段として、少なくとも１個の耳装着用音声出力具を着脱可能に保持する保持部と、頭髪に着脱可能に止着する止着部とから髪止め用装身具を構成した。
【０００８】
また上記耳装着用音声出力具については、外出時に携帯して使用する機会が多いイヤホン又は補聴器であることが好ましい。
【０００９】
また上記保持部に、耳装着用音声出力具を保持する弾性部材又は磁石部材を設けることでコンパクトな構造で確実に保持することが可能となる。
【００１０】
また本考案では、脱落を防止する紐部材を耳装着用音声出力具に取り付けることで、万一保持部から外れた場合でも落下を防止することができる。
【００１１】
また本考案では、上記一対の前記耳装着用音声出力具をそれぞれ保持する一対の前記保持部を分離可能に設けることで、一対の耳装着用音声出力具を必要に応じて一体として保持したり、別体として保持することができ、携帯性を高めることが可能となる。
【００１２】
また上記構成を採用する場合には、一対の前記保持部を連結する連結部材を備えることで保持部の分離と一体化をスムーズに行うことができる。
【考案の効果】
【００１３】
本考案においては、髪止め用装身具にイヤホンや補聴器等の耳装着用音声出力具を装着する保持部を設けて構成したことにより、耳装着用音声出力具を耳周辺に着脱可能に保持することができる。これにより、耳装着用音声出力具の装着及び収納を簡単かつ迅速に行うことが可能となるため、利便性を格段に高めることができる。
【図面の簡単な説明】
【００１４】
【図１】本考案の第一実施形態の髪止め装身具を示す全体斜視図である。
【図２】本考案の第一実施形態の髪止め装身具の断面構造を示す断面説明図である。
【図３】本考案の第一実施形態の髪止め装身具の使用状態を示す全体斜視図である。
【図４】本考案の第一実施形態の髪止め装身具の変更例を示す全体斜視図である。
【図５】本考案の第一実施形態の髪止め装身具の変更例を示す全体斜視図である。
【考案を実施するための形態】
【００１５】
『第一実施形態』
本考案の第一実施形態を図１〜図３に基づいて説明する。なお図中、符号１で指示するものは、髪止め用装身具であり、符号Ｅで指示するものは、耳装着用音声出力具である。符号Ｈで指示するものは、髪止め用装身具における耳装着用音声出力具の保持部であり、符号Ｓで指示するものは、髪止め用装身具における身体への止着部である。
【００１６】
「髪止め用装身具の構成」
[１]髪止め用装身具の基本構成について
まず本実施形態の髪止め用装身具１の基本構成について説明する。本実施形態では、図１及び図２に示すように髪止め用装身具１の本体部を、棒状の第一挟持部材11と、この第一挟持部材11と対になる板状の第二挟持部材12とから構成し、これら一対の挟持部材を中間のヒンジ部13で連結して構成している。
【００１７】
また上記ヒンジ部13は、各挟持部材の長さ方向の中間位置よりも片方の端部に寄った位置に設けて、ヒンジ部13と端部の距離が短い側を摘まみ部Ｐとし、ヒンジ部13と端部の距離が長い側を止着部Ｓとしている。また上記ヒンジ部13には、止着部Ｓが閉じる方向に付勢されるように捻りバネ13aを設けている。
【００１８】
また上記第一挟持部材11は、摘まみ部Ｐ側の厚みを大きく、止着部Ｓ側の厚みを小さく形成して、厚みが大きい摘まみ部Ｐ側の端面に取付け穴11aを保持部Ｈとして設けている。そしてこの取付け穴11aに対して、図３に示すように耳装着用音声出力具Ｅの棒状部位Ｒを嵌め込んで脱着自在に装着できるように構成している。
【００１９】
上記の構成により、耳装着用音声出力具Ｅを保持部Ｈに装着した状態で髪止め用装身具１を頭髪等に止着すれば、外出時においても耳装着用音声出力具Ｅを耳周辺に着脱可能に保持しておくことができる。またその状態で耳装着用音声出力具Ｅの収納と装着を行うこともできるため、利便性を向上することができる。
【００２０】
[２]挟持部材について
[2-1]挟持部材の材料
次に上記髪止め用装身具１の各構成要素について説明する。まず上記第一挟持部材11及び第二挟持部材12の材料に関しては、本実施形態では軽量で安価に製造できるプラスチック材料を使用しているが、プラスチック材料以外の金属材料やエラストマー材料、これらの複合材料を使用することもできる。
【００２１】
[2-2]挟持部材の形状
また上記第一挟持部材11の形状に関しては、本実施形態では断面形状が四角形の棒状として、平面状の挟持面(第二挟持部材12に対向する面)を止着部Ｓに形成しているが、断面形状が半円型の棒状や多角形型の棒状とすることもできる。また本実施形態では、第一挟持部材11の止着部Ｓを、ヒンジ部13から端部にかけて厚みが徐々に小さくなるように形成して頭髪等への差し込みを容易にしている。
【００２２】
また上記第二挟持部材12の形状に関しては、本実施形態では板状に形成して、平面状の挟持面(第一挟持部材11に対向する面)を止着部Ｓに形成しているが、第二挟持部材12を第一挟持部材11と同じように棒状に形成することもできる。また本実施形態では、第二挟持部材12の止着部Ｓもヒンジ部13から端部にかけて厚みが徐々に小さくなるように形成して頭髪等への差し込みを容易にしている。
【００２３】
[2-3]第一挟持部材の取付け穴の形状
また上記第一挟持部材11の取付け穴11aに関しては、本実施形態では、断面形状を半円と台形を組み合わせた馬蹄型の形状としているが、耳装着用音声出力具Ｅの棒状部位Ｒと嵌合する穴形状であれば、他の形状を採用することもできる。また取付け穴11aの深さに関しても、耳装着用音声出力具Ｅの棒状部位Ｒが簡単に外れないようにしっかりと嵌合する深さであればよい。
【００２４】
[2-4]第一挟持部材の取付け穴の抜け防止構造
また本実施形態では、上記第一挟持部材11の保持部Ｈである取付け穴11a内に、図２に示すように先端の内側(取付け穴11a側)に突起部を備えた弾性板片11bを設けている。これにより、耳装着用音声出力具Ｅの棒状部位Ｒを取付け穴11a内に挿入した際、弾性板片11bを撓ませて突起部を棒状部位Ｒに押し付けることができるため、棒状部位Ｒの抜けが生じ難くなる。また弾性板片11bによって棒状部位Ｒの空回りも防止できる。
【００２５】
[2-5]止着部の滑り止め構造
また本実施形態では、上記第一挟持部材11と第二挟持部材12の止着部Ｓにおいて、図２に示すように対向する挟持面にそれぞれ細かい凹凸を滑り止め部11c・12bとして設けている。これにより、頭髪等を凹凸で挟み込んで髪止め用装身具１をしっかりと止着することができるため、髪止め用装身具１の脱落を防止することができる。
【００２６】
[３]ヒンジ部について
また上記ヒンジ部13に関しては、本実施形態では、雌側のヒンジ駒を第一挟持部材11に形成し、雄側のヒンジ駒を第二挟持部材12に形成して、これらを嵌め合わせた状態で両者に軸棒を挿通してヒンジ部13を構成している。また本実施形態では、ヒンジ部13の軸棒の周囲に捻りバネ13aの螺旋部を装着して、捻りバネ13aの一端が第一挟持部材１に、他端が第二挟持部材12に当接するように構成している。なおヒンジ部13の形態は、同様の機能が得られれば、他の形態を採用することもできる。
【００２７】
[４]耳装着用音声出力具について
次に上記髪止め用装身具１に装着する耳装着用音声出力具Ｅについて説明する。本実施形態では、耳装着用音声出力具Ｅとしてワイヤレスイヤホンを使用しているが、外出時に携帯して使用する機会の多い音声出力具であれば、イヤホン以外にも補聴器などを使用することもできる。また本実施形態では、第一挟持部材11の取付け穴11aを保持部Ｈとしているため、棒状部位Ｒを備えたイヤホンや補聴器を使用する必要があるが、保持部Ｈの形態が異なる場合には、棒状部位Ｒのないものも使用できる。
【００２８】
『第二実施形態』
「落下防止用の紐部材」
本考案の第二実施形態を図４に基づいて説明する。なお図中、符号２で指示するものは紐部材である。本実施形態では、図４(a)(b)に示すように左右の耳装着用音声出力具Ｅの棒状部位Ｒに取り付け可能な両端部を備えた紐部材２を使用し、この紐部材２を取り付けた状態で耳装着用音声出力具Ｅ・Ｅを髪止め用装身具１・１に装着することにより、左右どちらかの耳装着用音声出力具Ｅのみが落下する事態を防止できる。なお紐部材２は、耳装着用音声出力具Ｅと髪止め用装身具１に取り付けることもできる。
【００２９】
『第三実施形態』
「複数の髪止め用装身具の連結構造」
本考案の第三実施形態を図５に基づいて説明する。本実施形態では、一対の髪止め用装身具１・１’を二つ並べた状態で連結して構成している。これにより一対の耳装着用音声出力具Ｅ・Ｅをそれぞれ保持する一対の保持部Ｈ・Ｈ’(取付け穴11a・11a’)を分離可能に設けることができるため、状況に応じて形態を使い分けることができる。
【００３０】
また本実施形態では、上記一対の保持部Ｈ・Ｈ’を有する複数の髪止め用装身具１・１’を連結するための連結部材15としてゴムバンドを使用しているが、他の連結具(例えば、面ファスナ付きのバンドやマグネット等)を使用することもできる。また本実施形態では、連結する髪止め用装身具１・１’の対向する側面部に凹凸部を形成して、この凹凸部を嵌め合わせた状態でゴムバンドによって連結することにより、髪止め用装身具１・１’同士のズレが生じないようにしている(図示せず)。
【００３１】
『その他の変更例』
[１]髪止め用装身具の保持部の変更例について
次に本考案のその他の変更例について説明する。まず上記耳装着用音声出力具Ｅを保持するための保持部Ｈに関しては、上記実施形態では取付け穴11aに棒状部位Ｒを差し込む嵌合手段を採用していたが、脱着自在に保持できる手段であれば、それ以外の手段を使用することもでき、例えば、磁石部材を用いた磁着手段やフックや係止爪等を用いた係止手段、またはこれらを組み合わせた手段を採用することもできる。
【００３２】
また他にも上記保持部Ｈに、耳装着用音声出力具Ｅを挟持する弾性部材（エラストマー材料や軟質樹脂、コイルスバネ、板バネ等）を使用することもでき、これによって耳装着用音声出力具Ｅを髪止め用装身具１の保持部Ｈに落下しないようにしっかりと装着することができる。また弾性部材を上記嵌合手段や磁着手段、係止手段と組み合わせて使用することもできる(例えば、取付け穴11aの内側にゴムリングを装着する等)。
【００３３】
また上記髪止め用装身具１の保持部Ｈについては、少なくとも一個以上あればよく、保持部Ｈの配置も二つ並べて設ける必要はなく、複数の髪止め用装身具１・１を長さ方向に連結して、その両端に保持部Ｈ・Ｈを形成することもできる。
【００３４】
[２]髪止め用装身具の止着部の変更例について
次に上記髪止め用装身具１の止着部Ｓに関しては、本実施形態では捻りバネ13a付きのヒンジ部13により一対の挟持部材を挟み込む構造を採用しているが、ヒンジ部13aを持たないクリップ構造(例えば、紙止め用クリップの構造等)を採用することもできる。また止着部Ｓの構造としては、ヘアクリップ以外にも簪や櫛止め、カチューシャ、ヘアゴムなどの構造を採用することもできる。
【００３５】
[２]髪止め用装身具の用途について
また上記髪止め用装身具の用途としては、頭部に着用することを基本とするものの、髪止め用装身具の大きさや形状、止着部Ｓの形態によっては衣服のポケットや襟、ネクタイ、バッグ等に止着可能して汎用性を持たせることもできる。
【符号の説明】
【００３６】
１  髪止め用装身具
11  第一挟持部材
11a  取付け穴
11b  弾性板片
11c  滑り止め部
12  第二挟持部材
12a  滑り止め部
13  ヒンジ部
13a  捻りバネ
14  紐部材
15  連結部材
Ｅ  耳装着用音声出力具
Ｒ  棒状部分
Ｈ  保持部
Ｓ  止着部
Ｐ  摘まみ部
Ｂ  ゴムバンド
【図１】
0003229536.tif 000003
【図２】
0003229536.tif 000004
【図３】
0003229536.tif 000005
【図４】
0003229536.tif 000006
【図５】
0003229536.tif 000007
【手続補正書】
【提出日】令和2年9月14日(2020.9.14)
【手続補正１】
【補正対象書類名】実用新案登録請求の範囲
【補正対象項目名】請求項１
【補正方法】変更
【補正の内容】
【請求項１】
本体部がヘアクリップ、簪、櫛止め、カチューシャまたはヘアゴムから構成される髪止め用装身具において、
前記本体部に少なくとも１個の耳装着用音声出力具を着脱可能に保持する保持部と、身体に着脱可能に止着する止着部とが設けられている髪止め用装身具。